(57)【要約】      （修正有）【課題】新しいＴｙｐｅ−Ｃメスインターフェース機能を有すると共に、古いインターフェース機能との互換性を持つダブルインターフェースの両面挿入型電源データ用の拡張ポートを提供する。【解決手段】ケース１１と、回路基板と、を含み、回路基板に第１側及び第２側が設けられ、第１側に第１のＴｙｐｅ−Ｃオスインターフェース１３１及び第２のＴｙｐｅ−Ｃオスインターフェース１３２が設けられ、第２側に第１のＴｙｐｅ−Ｃメスインターフェース１４１及び第２のＴｙｐｅ−Ｃメスインターフェース１４２に加え、インターフェースアセンブリ１５が設けられる。【選択図】図１
0003226813.tif 000002
【実用新案登録請求の範囲】
【請求項１】
キャビティを有するケースと、前記キャビティの中に設けられる回路基板と、を含み、前記回路基板に第１側、及び前記第１側に対向又は隣接する第２側が設けられ、前記第１側に、ＭａｃｂｏｏｋＰｒｏのインターフェースに接続するための第１のＴｙｐｅ−Ｃオスインターフェース、及び前記第１のＴｙｐｅ−Ｃオスインターフェースと並列するように間隔を開けて設けられ、且つ前記ＭａｃｂｏｏｋＰｒｏの別のインターフェースに接続するための第２のＴｙｐｅ−Ｃオスインターフェースが設けられ、前記第２側に、それぞれ前記第１のＴｙｐｅ−Ｃオスインターフェース及び前記第２のＴｙｐｅ−Ｃオスインターフェースに対向する第１のＴｙｐｅ−Ｃメスインターフェース及び第２のＴｙｐｅ−Ｃメスインターフェースに加え、外部電子製品との充電及び／又はデータ伝送に用いられるインターフェースアセンブリが設けられ、前記第１のＴｙｐｅ−Ｃオスインターフェース及び前記第２のＴｙｐｅ−Ｃオスインターフェースが前記ケースから外へ露出し、前記ケースにそれぞれ前記第１のＴｙｐｅ−Ｃメスインターフェース、前記第２のＴｙｐｅ−Ｃメスインターフェース及び前記インターフェースアセンブリに一つずつ対応する複数の開口が設けられることを特徴とするダブルインターフェースの両面挿入型電源データ用の拡張ポート。
【請求項２】
前記インターフェースアセンブリは、ＵＳＢインターフェース、表示装置への接続用のＨＤＭＩインターフェース、ＳＤカードの読み取り用のＳＤカードインターフェース及びＭｉｃｒｏＳＤカードの読み取り用のＭｉｃｒｏＳＤカードインターフェースを含むことを特徴とする請求項１に記載のダブルインターフェースの両面挿入型電源データ用の拡張ポート。
【請求項３】
前記ケースは、底部及び前記底部の周縁に沿って延出した側壁を含むボトムケースを備え、前記底部及び前記側壁は前記キャビティを形成するように取り囲み、前記側壁の上端に上部カバーが取り外し可能に接続され、前記開口は前記側壁に設けられることを特徴とする請求項１に記載のダブルインターフェースの両面挿入型電源データ用の拡張ポート。
【請求項４】
前記キャビティの中に固定枠が設けられ、前記回路基板は前記固定枠に取り付けられることを特徴とする請求項３に記載のダブルインターフェースの両面挿入型電源データ用の拡張ポート。
【請求項５】
前記固定枠は、底板及び前記底板の周縁に沿って延出した枠側壁を含み、前記枠側壁にそれぞれ前記開口に一つずつ対応する複数の切欠きが設けられ、前記回路基板は前記底板と前記枠側壁により取り囲まれたスペースの中に取り付けられることを特徴とする請求項４に記載のダブルインターフェースの両面挿入型電源データ用の拡張ポート。
【請求項６】
前記上部カバーの周縁に間隔を開けて設けられる複数の逆引掛け部が設けられ、前記枠側壁にそれぞれ前記逆引掛け部に一つずつ対応して嵌め合うように複数のグルーブが設けられることを特徴とする請求項５に記載のダブルインターフェースの両面挿入型電源データ用の拡張ポート。
【請求項７】
ＵＳＢインターフェースの数として、少なくとも１つ設けられることを特徴とする請求項２〜６の何れか１項に記載のダブルインターフェースの両面挿入型電源データ用の拡張ポート。
【請求項８】
前記ケースはストリップ状であることを特徴とする請求項１〜６の何れか１項に記載のダブルインターフェースの両面挿入型電源データ用の拡張ポート。
【請求項９】
前記回路基板に、主制御チップ、高精細度デコーダチップ、電源管理チップ、高周波変圧器及びパワーデバイスが間隔を開けて設けられることを特徴とする請求項１〜６の何れか１項に記載のダブルインターフェースの両面挿入型電源データ用の拡張ポート。
【請求項１０】
前記インターフェースアセンブリは、ＶＧＡインターフェース、ＤＶＩインターフェース、ＤＰインターフェース、ＭｉｎｉＤＰインターフェース又はネットワークインターフェースを更に含むことを特徴とする請求項１〜６の何れか１項に記載のダブルインターフェースの両面挿入型電源データ用の拡張ポート。
【請求項１１】
ＵＳＢインターフェースのタイプは、ＵＳＢ２．０、ＵＳＢ３．０、ＵＳＢ−Ｃ又はＵＳＢ３．１であることを特徴とする請求項２〜６の何れか１項に記載のダブルインターフェースの両面挿入型電源データ用の拡張ポート。
【請求項１２】
前記第１のＴｙｐｅ−Ｃオスインターフェース、前記第２のＴｙｐｅ−Ｃオスインターフェース、前記第１のＴｙｐｅ−Ｃオスインターフェース及び前記第２のＴｙｐｅ−Ｃオスインターフェースの何れも二方向伝送であることを特徴とする請求項１〜６の何れか１項に記載のダブルインターフェースの両面挿入型電源データ用の拡張ポート。
【請求項１３】
前記第１のＴｙｐｅ−ＣメスインターフェースはＴｙｐｅ−Ｃインターフェース装置に接続されることに用いられ、ＵＳＢデータ伝送に対応し、前記第２のＴｙｐｅ−Ｃメスインターフェースは、Ｔｙｐｅ−Ｃインターフェース装置に接続されることに用いられ、ＰＤ充電機能に対応することを特徴とする請求項１〜６の何れか１項に記載のダブルインターフェースの両面挿入型電源データ用の拡張ポート。
【考案の詳細な説明】
【技術分野】
【０００１】
本考案は充電とデータ伝送との一体的設計の技術分野に属し、より具体的には、ダブルインターフェースの両面挿入型電源データ用の拡張ポートに関する。
【背景技術】
【０００２】
近年、電子技術の急速な発展や集積回路の適用設計に伴い、充電とデータ製品は既に消費者分野の適用製品になり、電源データ用の拡張ポートはデジタル製品同士の充電とデータ通信を同時に完成可能な設計適用として実現されるので、装置は益々多くの適用分野への互換性を持つようになっている。しかしながら、従来の電源データ用の拡張ポートは、データ伝送用のＴｙｐｅ−Ｃインターフェースを１つしか有しないので、このＴｙｐｅ−Ｃインターフェース（つまり、一般のＵＳＢＴｙｐｅ−Ｃインターフェース）を介してＭａｃｂｏｏｋＰｒｏ（登録商標）（アップル社製）のあるインターフェースに接続される場合、ＭａｃｂｏｏｋＰｒｏの別のインターフェースが遮蔽されることで、ＭａｃｂｏｏｋＰｒｏの１つのインターフェースが十分に利用されていないという問題がある。
【考案の概要】
【考案が解決しようとする課題】
【０００３】
本考案は、ダブルインターフェースの両面挿入型電源データ用の拡張ポートを提供することを目的とし、従来技術における電源データ用の拡張ポートがＭａｃｂｏｏｋＰｒｏのインターフェースに接続される場合に、ＭａｃｂｏｏｋＰｒｏの２つのインターフェースが十分に利用されていないという問題を解決することを旨とする。
【課題を解決するための手段】
【０００４】
本考案は、キャビティを有するケースと、前記キャビティの中に設けられる回路基板と、を含み、前記回路基板に第１側、及び前記第１側に対向又は隣接する第２側が設けられ、前記第１側に、ＭａｃｂｏｏｋＰｒｏのインターフェースに接続するための第１のＴｙｐｅ−Ｃオスインターフェース、及び前記第１のＴｙｐｅ−Ｃオスインターフェースと並列するように間隔を開けて設けられ、且つ前記ＭａｃｂｏｏｋＰｒｏの別のインターフェースに接続するための第２のＴｙｐｅ−Ｃオスインターフェースが設けられ、前記第２側に、それぞれ前記第１のＴｙｐｅ−Ｃオスインターフェース及び前記第２のＴｙｐｅ−Ｃオスインターフェースに対向する第１のＴｙｐｅ−Ｃメスインターフェース及び第２のＴｙｐｅ−Ｃメスインターフェースに加え、外部電子製品との充電及び／又はデータ伝送に用いられるインターフェースアセンブリが設けられ、前記第１のＴｙｐｅ−Ｃオスインターフェース及び前記第２のＴｙｐｅ−Ｃオスインターフェースは前記ケースから外へ露出し、前記ケースにそれぞれ前記第１のＴｙｐｅ−Ｃメスインターフェース、前記第２のＴｙｐｅ−Ｃメスインターフェース及び前記インターフェースアセンブリに一つずつ対応する複数の開口が設けられるダブルインターフェースの両面挿入型電源データ用の拡張ポートを提供する。
【０００５】
さらに、前記インターフェースアセンブリは、ＵＳＢインターフェース、表示装置への接続用のＨＤＭＩ(登録商標)インターフェース、ＳＤカードの読み取り用のＳＤカードインターフェース及びＭｉｃｒｏＳＤカードの読み取り用のＭｉｃｒｏＳＤカードインターフェースを含む。
【０００６】
さらに、前記ケースは、底部及び前記底部の周縁に沿って延出した側壁を含むボトムケースを備え、前記底部及び前記側壁は前記キャビティを形成するように取り囲み、前記側壁の上端に上部カバーが取り外し可能に接続され、前記開口は前記側壁に設けられる。
【０００７】
さらに、前記キャビティの中に固定枠が設けられ、前記回路基板は前記固定枠に取り付けられる。
【０００８】
さらに、前記固定枠は、底板及び前記底板の周縁に沿って延出した枠側壁を含み、前記枠側壁にそれぞれ前記開口に一つずつ対応する複数の切欠きが設けられ、前記回路基板は前記底板と前記枠側壁により取り囲まれたスペースの中に取り付けられる。
【０００９】
さらに、前記上部カバーの周縁に間隔を開けて設けられる複数の逆引掛け部が設けられ、前記枠側壁にそれぞれ前記逆引掛け部に一つずつ対応して係合する複数のグルーブが設けられる。
【００１０】
さらに、前記ＵＳＢインターフェースの数として、少なくとも１つ設けられる。
【００１１】
さらに、前記ケースはストリップ状である。
【００１２】
さらに、前記回路基板に、主制御チップ、高精細度デコーダチップ、電源管理チップ、高周波変圧器及びパワーデバイスが間隔を開けて設けられる。
【００１３】
さらに、前記インターフェースアセンブリは、ＶＧＡインターフェース、ＤＶＩインターフェース、ＤＰインターフェース、ＭｉｎｉＤＰインターフェース又はネットワークインターフェースを更に含む。
【００１４】
さらに、前記ＵＳＢインターフェースのタイプは、ＵＳＢ２．０、ＵＳＢ３．０、ＵＳＢ−Ｃ又はＵＳＢ３．１である。
【００１５】
さらに、前記第１のＴｙｐｅ−Ｃオスインターフェース、前記第２のＴｙｐｅ−Ｃオスインターフェース、前記第１のＴｙｐｅ−Ｃオスインターフェース及び前記第２のＴｙｐｅ−Ｃオスインターフェースの何れも二方向伝送である。
【００１６】
さらに、前記第１のＴｙｐｅ−ＣメスインターフェースはＴｙｐｅ−Ｃインターフェース装置に接続されることに用いられ、ＵＳＢデータ伝送に対応し、前記第２のＴｙｐｅ−Ｃメスインターフェースは、Ｔｙｐｅ−Ｃインターフェース装置に接続されることに用いられ、ＰＤ充電機能に対応する。
【考案の効果】
【００１７】
本考案の提供するダブルインターフェースの両面挿入型電源データ用の拡張ポートは、従来の技術と比べると、下記の効果がある。上記ダブルインターフェースの両面挿入型電源データ用の拡張ポートによってＭａｃｂｏｏｋＰｒｏに接続する場合、回路基板の第１側に位置する第１のＴｙｐｅ−Ｃオスインターフェース及び第２のＴｙｐｅ−ＣオスインターフェースをそれぞれＭａｃｂｏｏｋＰｒｏの２つのインターフェースに接続することができ、また、第１のＴｙｐｅ−Ｃオスインターフェース及び第２のＴｙｐｅ−Ｃオスインターフェースが正面又は背面で挿入されても、ＭａｃｂｏｏｋＰｒｏの２つのインターフェースとの接続を実現することができる。それと同時に、ＭａｃｂｏｏｋＰｒｏの２つのインターフェースが上記ダブルインターフェースの両面挿入型電源データ用の拡張ポートにより遮蔽されて、ユーザーがＭａｃｂｏｏｋＰｒｏの元の２つのインターフェースによって充電、映像通信又はデータ通信を行うことができないので、上記ダブルインターフェースの両面挿入型電源データ用の拡張ポートは、第１のＴｙｐｅ−Ｃオスインターフェース及び第２のＴｙｐｅ−Ｃオスインターフェースによってインターフェースアセンブリのような他のインターフェースに転送すると共に、第１のＴｙｐｅ−Ｃメスインターフェース及び第２のＴｙｐｅ−Ｃメスインターフェースを拡張し、また、第１のＴｙｐｅ−Ｃメスインターフェース及び第２のＴｙｐｅ−Ｃメスインターフェースによって外部電子製品に接続されて充電、映像通信又はデータ通信を行う。このように、ユーザーが上記ダブルインターフェースの両面挿入型電源データ用の拡張ポートによって外部電子製品に対して充電、映像通信又はデータ通信を行う場合、新しいＴｙｐｅ−Ｃメスインターフェース機能を有すると共に、例えばインターフェースアセンブリによって、古いインターフェース機能との互換性を持つことができる。
【図面の簡単な説明】
【００１８】
本考案の実施例に係る技術案をより明らかに説明するために、以下、実施例又は従来技術についての説明に必要な添付図面を簡単に説明する。明らかなように、下記説明における添付図面は、単に本考案のある実施例である。当業者であれば、創造的な工夫をせずに、これらの添付図面に基づいて他の添付図面を取得することができる。
【図１】本考案の実施例によるダブルインターフェースの両面挿入型電源データ用の拡張ポートの分解構造概略図１である。
【図２】本考案の実施例によるダブルインターフェースの両面挿入型電源データ用の拡張ポートを示す分解構造概略図２である。
【図３】本考案の実施例によるダブルインターフェースの両面挿入型電源データ用の拡張ポートを示す分解構造概略図３である。
【考案を実施するための形態】
【００１９】
本考案の目的、技術的解決手段及び利点をより明らかにするために、以下、図面及び実施例に合わせて本考案をより詳細に説明する。ここで説明される具体的な実施例は、本考案を解釈するためのものに過ぎず、本考案を限定するためのものではないことを理解すべきである。
【００２０】
説明すべきことは、素子が別の素子に「固定される」又は「設けられる」という場合、別の素子に直接又は間接的にされてもよいことである。ある素子が別の素子に「接続される」という場合、別の素子に直接又は間接接続されてもよい。
【００２１】
理解すべきことは、「長さ」、「幅」、「上」、「下」、「前」、「後」、「左」、「右」、「垂直」、「水平」、「頂」、「底」「内」、「外」等の用語は、添付図面に基づいて示す方位又は位置関係を指し、単に本考案を説明しやすく、且つ説明を簡単にするためのものであり、所定の装置又は素子が必ず特定の方位を有し、特定の方位で構成及び操作しなければならないことを指示又は示唆するものではないので、本考案に対する制限として理解されるべきではないことである。
【００２２】
また、「第１の」、「第２の」という用語は、単に説明するためのものであり、比較的重要性を指示又は示唆し又は示された技術的特徴の数を示唆するものとして理解されるべきではない。これにより、「第１の」、「第２の」の限定された特徴は、１つ又は複数のこの特徴を明確又は曖昧に含んでもよい。本考案の説明において、特に具体的に限定されない限り、「複数」は、２つ又は２つ以上を意図する。
【００２３】
図１〜図３を同時に参照されたい。本考案は、キャビティを有するケース１１と、キャビティの中に設けられる回路基板１２と、を含むダブルインターフェースの両面挿入型電源データ用の拡張ポート１０を提供する。回路基板１２に第１側、及び第１側に対向又は隣接する第２側が設けられる。第１側に、ＭａｃｂｏｏｋＰｒｏのインターフェースに接続するための第１のＴｙｐｅ−Ｃオスインターフェース１３１、及び第１のＴｙｐｅ−Ｃオスインターフェース１３１と並列するように間隔を開けて設けられ、且つＭａｃｂｏｏｋＰｒｏの別のインターフェースに接続するための第２のＴｙｐｅ−Ｃオスインターフェース１３２が設けられる。第２側に、それぞれ第１のＴｙｐｅ−Ｃオスインターフェース１３１及び第２のＴｙｐｅ−Ｃオスインターフェース１３２に対向する第１のＴｙｐｅ−Ｃメスインターフェース１４１及び第２のＴｙｐｅ−Ｃメスインターフェース１４２に加え、外部電子製品との充電及び／又はデータ伝送に用いられるインターフェースアセンブリ１５が設けられる。第１のＴｙｐｅ−Ｃオスインターフェース１３１及び第２のＴｙｐｅ−Ｃオスインターフェース１３２はケース１１から外へ露出する。ケース１１にそれぞれ第１のＴｙｐｅ−Ｃメスインターフェース１４１、第２のＴｙｐｅ−Ｃメスインターフェース１４２及びインターフェースアセンブリ１５に一つずつ対応する複数の開口１６が設けられる。
【００２４】
図１〜図３を同時に参照されたい。上記ダブルインターフェースの両面挿入型電源データ用の拡張ポート１０によってＭａｃｂｏｏｋＰｒｏに接続する場合、回路基板１２の第１側に位置する第１のＴｙｐｅ−Ｃオスインターフェース１３１及び第２のＴｙｐｅ−Ｃオスインターフェース１３２をそれぞれＭａｃｂｏｏｋＰｒｏの２つのインターフェースに接続してよい。また、第１のＴｙｐｅ−Ｃオスインターフェース１３１及び第２のＴｙｐｅ−Ｃオスインターフェース１３２が正面又は背面で挿入されても、ＭａｃｂｏｏｋＰｒｏの２つのインターフェースとの接続を実現することができる。それと同時に、ＭａｃｂｏｏｋＰｒｏの２つのインターフェースが上記ダブルインターフェースの両面挿入型電源データ用の拡張ポート１０により遮蔽されて、ユーザーがＭａｃｂｏｏｋＰｒｏの元の２つのインターフェースによって充電、映像通信又はデータ通信を行うことができないので、上記ダブルインターフェースの両面挿入型電源データ用の拡張ポート１０は、第１のＴｙｐｅ−Ｃオスインターフェース１３１及び第２のＴｙｐｅ−Ｃオスインターフェース１３２によって、例えばインターフェースアセンブリ１５のような他のインターフェースに転送すると共に、第１のＴｙｐｅ−Ｃメスインターフェース１４１及び第２のＴｙｐｅ−Ｃメスインターフェース１４２を拡張し、また、第１のＴｙｐｅ−Ｃメスインターフェース１４１及び第２のＴｙｐｅ−Ｃメスインターフェース１４２によって外部電子製品に接続されて充電、映像通信又はデータ通信を行う。このように、ユーザーが上記ダブルインターフェースの両面挿入型電源データ用の拡張ポート１０によって外部電子製品に対して充電、映像通信又はデータ通信を行う場合、新しいＴｙｐｅ−Ｃメスインターフェース機能を有すると共に、例えばインターフェースアセンブリ１５によって、古いインターフェース機能との互換性を持つことができる。
【００２５】
更に説明すべきことは、第１のＴｙｐｅ−Ｃオスインターフェース１３１、第２のＴｙｐｅ−Ｃオスインターフェース１３２、第１のＴｙｐｅ−Ｃオスインターフェース１３１及び第２のＴｙｐｅ−Ｃオスインターフェース１３２の何れも二方向伝送であることである。第１のＴｙｐｅ−Ｃメスインターフェース１４１は、Ｔｙｐｅ−Ｃインターフェース装置への接続に用いられ、ＵＳＢデータ伝送に対応する。第２のＴｙｐｅ−Ｃメスインターフェース１４２は、Ｔｙｐｅ−Ｃインターフェース装置への接続に用いられ、ＰＤ充電機能、ＵＳＢデータ伝送、ＤＰデータ伝送（（Ｄｉｓｐｌａｙ  Ｐｏｒｔ；ＤＰ）高精細度デジタル表示インターフェース基準の１つ）に対応する。
【００２６】
図１〜図３を同時に参照されたい。上記ダブルインターフェースの両面挿入型電源データ用の拡張ポート１０の機能の拡張をよりよく実現するために、インターフェースアセンブリ１５は、ＵＳＢインターフェース１５１、表示装置への接続用のＨＤＭＩインターフェース１５２（（Ｈｉｇｈ  Ｄｅｆｉｎｉｔｉｏｎ  Ｍｕｌｔｉｍｅｄｉａ  Ｉｎｔｅｒｆａｃｅ；ＨＤＭＩ）高精細度マルチメディアインターフェース）、ＳＤカード（Ｓｅｃｕｒｅ  Ｄｉｇｉｔａｌ；ＳＤ）の読み取り用のＳＤカードインターフェース１５３及びＭｉｃｒｏＳＤカードの読み取り用のＭｉｃｒｏＳＤカードインターフェース１５４を含む。当然のことながら、ＵＳＢインターフェース１５１の数として、少なくとも１つ設けられる。ＵＳＢインターフェース１５１のタイプとして、ＵＳＢ２．０、ＵＳＢ３．０、ＵＳＢ−Ｃ又はＵＳＢ３．１Ｇｅｎ１＊２であってよい。ＵＳＢインターフェース１５１は、ＵＳＢ３．１Ｇｅｎ１＊２である場合、５Ｇｂ高速伝送に対応する。このように、ＵＳＢインターフェース１５１によって携帯電話、タブレットコンピュータ、パーソナルコンピュータに接続され、ＨＤＭＩインターフェース１５２によって高精細度ディスプレイのような表示装置に接続されることができる。具体的には、ＨＤＭＩインターフェース１５２は、ＨＤＭＩ２．０ａに対応し、４Ｋ／３０Ｈｚ解像度に対応する。ＳＤカードインターフェース１５３によってＳＤカードの情報を読み取り、当然のことながら、このＳＤカードはＭｉｃｒｏＳＤカードを含む。
【００２７】
詳しくは、ケース１１は、ボトムケース１１１を備える。ボトムケース１１１は、底部及び底部の周縁に沿って延出した側壁を含む。底部及び側壁はキャビティを形成するように取り囲む。側壁の上端に上部カバー１１２が取り外し可能に接続される。開口１６は側壁に設けられる。
【００２８】
図１〜図３を合わせて参照されたい。回路基板１２をキャビティの中に固設するように、キャビティの中に固定枠１７が設けられる。回路基板１２は、固定枠１７に取り付けられる。
【００２９】
詳しくは、固定枠１７を回路基板１２によりよく固設するために、固定枠１７は、底板及び底板の周縁に沿って延出した枠側壁を含む。枠側壁にそれぞれ開口１６に一つずつ対応する複数の切欠き１７１が設けられる。回路基板１２は、底板と枠側壁により取り囲まれたスペースの中に取り付けられる。
【００３０】
図１〜図３を合わせて参照されたい。詳しくは、ケース１１を着脱しやすくするために、上部カバー１１２の周縁に間隔を開けて設けられる複数の逆引掛け部１１２１が設けられる。枠側壁にそれぞれ逆引掛け部１１２１に一つずつ対応して嵌め合うように複数のグルーブ１７２が設けられる。このように、逆引掛け部１１２１とグルーブ１７２と嵌め合うように、ボトムケース１１１と上部カバー１１２との着脱を実現する。
【００３１】
回路基板１２における取り付けスペースを十分に利用するために、回路基板１２は、ストリップ状であり、第１側と第２側とが対向して設けられる。また、第１のＴｙｐｅ−Ｃメスインターフェース１４１、第２のＴｙｐｅ−Ｃメスインターフェース１４２及びインターフェースアセンブリ１５の何れも第２側に設けられ、ケース１１はストリップ状である。このように、上記ダブルインターフェースの両面挿入型電源データ用の拡張ポート１０が小型で、多機能の充電とデータ通信とを一体化することができる。
【００３２】
図１〜図３を合わせて参照されたい。上記ダブルインターフェースの両面挿入型電源データ用の拡張ポート１０の充電とデータ通信機能を実現しやすくするために、回路基板１２に、主制御チップ、高精細度デコーダチップ、電源管理チップ、高周波変圧器及びパワーデバイスが間隔を開けて設けられる。
【００３３】
上記ダブルインターフェースの両面挿入型電源データ用の拡張ポート１０の機能の拡張を更に実現するために、インターフェースアセンブリ１５は、ＶＧＡインターフェース（（Ｖｉｄｅｏ  Ｇｒａｐｈｉｃｓ  Ａｒｒａｙ；ＶＧＡ）ビデオグラフィックスアレイ）、ＤＶＩインターフェース（（Ｄｉｇｉｔａｌ  Ｖｉｓｕａｌ  Ｉｎｔｅｒｆａｃｅ；ＤＶＩ）デジタルビジュアルインターフェース）、ＤＰインターフェース（（Ｄｉｓｐｌａｙ  Ｐｏｒｔ；ＤＰ）高精細度デジタル表示インターフェース基準の１つ）、ＭｉｎｉＤＰインターフェース（（Ｍｉｎｉ  Ｄｉｓｐｌａｙ  Ｐｏｒｔ；ミニＤＰ）高精細度デジタル表示インターフェース基準の１つ）又はネットワークインターフェースを更に含む。
【００３４】
上記は本考案の好ましい実施例に過ぎず、本考案を制限するためのものではなく、本考案の精神及び原則においてなされたあらゆる変更、等価置換及び改良等は、本考案の保護範囲に含まれるべきである。
【符号の説明】
【００３５】
１０      ダブルインターフェースの両面挿入型電源データ用の拡張ポート
１１      ケース
１２      回路基板
１３１    第１のＴｙｐｅ−Ｃオスインターフェース
１３２    第２のＴｙｐｅ−Ｃオスインターフェース
１４１    第１のＴｙｐｅ−Ｃメスインターフェース
１４２    第２のＴｙｐｅ−Ｃメスインターフェース
１５      インターフェースアセンブリ
１６      開口
１５１    ＵＳＢインターフェース
１５２    ＨＤＭＩインターフェース
１５３    ＳＤカードインターフェース
１５４    ＭｉｃｒｏＳＤカードインターフェース
１１１    ボトムケース
１１２    上部カバー
１７      固定枠
１７１    切欠き
１１２１  逆引掛け部
１７２    グルーブ
【図１】
0003226813.tif 000003
【図２】
0003226813.tif 000004
【図３】
0003226813.tif 000005
【手続補正書】
【提出日】令和2年4月21日(2020.4.21)
【手続補正１】
【補正対象書類名】実用新案登録請求の範囲
【補正対象項目名】全文
【補正方法】変更
【補正の内容】
【実用新案登録請求の範囲】
【請求項１】
キャビティを有するケースと、前記キャビティの中に設けられる回路基板と、を含み、前記回路基板に第１側、及び前記第１側に対向又は隣接する第２側が設けられ、前記第１側に、ＭａｃｂｏｏｋＰｒｏ（登録商標）のインターフェースに接続するための第１のＴｙｐｅ−Ｃオスインターフェース、及び前記第１のＴｙｐｅ−Ｃオスインターフェースと並列するように間隔を開けて設けられ、且つ前記ＭａｃｂｏｏｋＰｒｏ（登録商標）の別のインターフェースに接続するための第２のＴｙｐｅ−Ｃオスインターフェースが設けられ、前記第２側に、それぞれ前記第１のＴｙｐｅ−Ｃオスインターフェース及び前記第２のＴｙｐｅ−Ｃオスインターフェースに対向する第１のＴｙｐｅ−Ｃメスインターフェース及び第２のＴｙｐｅ−Ｃメスインターフェースに加え、外部電子製品との充電及び／又はデータ伝送に用いられるインターフェースアセンブリが設けられ、前記第１のＴｙｐｅ−Ｃオスインターフェース及び前記第２のＴｙｐｅ−Ｃオスインターフェースが前記ケースから外へ露出し、前記ケースにそれぞれ前記第１のＴｙｐｅ−Ｃメスインターフェース、前記第２のＴｙｐｅ−Ｃメスインターフェース及び前記インターフェースアセンブリに一つずつ対応する複数の開口が設けられることを特徴とするダブルインターフェースの両面挿入型電源データ用の拡張ポート。
【請求項２】
前記インターフェースアセンブリは、ＵＳＢインターフェース、表示装置への接続用のＨＤＭＩ（登録商標）インターフェース、ＳＤカードの読み取り用のＳＤカードインターフェース及びＭｉｃｒｏＳＤカードの読み取り用のＭｉｃｒｏＳＤカードインターフェースを含むことを特徴とする請求項１に記載のダブルインターフェースの両面挿入型電源データ用の拡張ポート。
【請求項３】
前記ケースは、底部及び前記底部の周縁に沿って延出した側壁を含むボトムケースを備え、前記底部及び前記側壁は前記キャビティを形成するように取り囲み、前記側壁の上端に上部カバーが取り外し可能に接続され、前記開口は前記側壁に設けられることを特徴とする請求項２に記載のダブルインターフェースの両面挿入型電源データ用の拡張ポート。
【請求項４】
前記キャビティの中に固定枠が設けられ、前記回路基板は前記固定枠に取り付けられることを特徴とする請求項３に記載のダブルインターフェースの両面挿入型電源データ用の拡張ポート。
【請求項５】
前記固定枠は、底板及び前記底板の周縁に沿って延出した枠側壁を含み、前記枠側壁にそれぞれ前記開口に一つずつ対応する複数の切欠きが設けられ、前記回路基板は前記底板と前記枠側壁により取り囲まれたスペースの中に取り付けられることを特徴とする請求項４に記載のダブルインターフェースの両面挿入型電源データ用の拡張ポート。
【請求項６】
前記上部カバーの周縁に間隔を開けて設けられる複数の逆引掛け部が設けられ、前記枠側壁にそれぞれ前記逆引掛け部に一つずつ対応して嵌め合うように複数のグルーブが設けられることを特徴とする請求項５に記載のダブルインターフェースの両面挿入型電源データ用の拡張ポート。
【請求項７】
ＵＳＢインターフェースの数として、少なくとも１つ設けられることを特徴とする請求項２〜６の何れか１項に記載のダブルインターフェースの両面挿入型電源データ用の拡張ポート。
【請求項８】
前記ケースはストリップ状であることを特徴とする請求項１〜６の何れか１項に記載のダブルインターフェースの両面挿入型電源データ用の拡張ポート。
【請求項９】
前記回路基板に、主制御チップ、高精細度デコーダチップ、電源管理チップ、高周波変圧器及びパワーデバイスが間隔を開けて設けられることを特徴とする請求項１〜６の何れか１項に記載のダブルインターフェースの両面挿入型電源データ用の拡張ポート。
【請求項１０】
前記インターフェースアセンブリは、ＶＧＡインターフェース、ＤＶＩインターフェース、ＤＰインターフェース、ＭｉｎｉＤＰインターフェース又はネットワークインターフェースを更に含むことを特徴とする請求項１〜６の何れか１項に記載のダブルインターフェースの両面挿入型電源データ用の拡張ポート。
【請求項１１】
ＵＳＢインターフェースのタイプは、ＵＳＢ２．０、ＵＳＢ３．０、ＵＳＢ−Ｃ又はＵＳＢ３．１であることを特徴とする請求項２〜６の何れか１項に記載のダブルインターフェースの両面挿入型電源データ用の拡張ポート。
【請求項１２】
前記第１のＴｙｐｅ−Ｃオスインターフェース、前記第２のＴｙｐｅ−Ｃオスインターフェース、前記第１のＴｙｐｅ−Ｃオスインターフェース及び前記第２のＴｙｐｅ−Ｃオスインターフェースの何れも二方向伝送であることを特徴とする請求項１〜６の何れか１項に記載のダブルインターフェースの両面挿入型電源データ用の拡張ポート。
【請求項１３】
前記第１のＴｙｐｅ−ＣメスインターフェースはＴｙｐｅ−Ｃインターフェース装置に接続されることに用いられ、ＵＳＢデータ伝送に対応し、前記第２のＴｙｐｅ−Ｃメスインターフェースは、Ｔｙｐｅ−Ｃインターフェース装置に接続されることに用いられ、ＰＤ充電機能に対応することを特徴とする請求項１〜６の何れか１項に記載のダブルインターフェースの両面挿入型電源データ用の拡張ポート。